(57)【要約】【課題】液晶テレビ等の表示装置を、簡単な構造で、容易に壁面等に据え付けることができ、使用者の見易い向きに表示装置を簡単に設定できる、表示装置の壁掛け装置を提供する。【解決手段】表示装置固定部材１０、又は表示装置固定部材１０に固定された表示装置２００の、左右何れか一方側に手を掛けて手前に引く。これにより、表示装置固定部材１０の左右にそれぞれ設けられている軸部１３，１３の内、引いた側の軸部１３が、壁面固定部材２０の対応する軸受部材２２から離脱し、壁面固定部材２０の軸受部材２２から離脱しない他方側の軸部１３を回転中心として、表示装置固定部材１０に固定された表示装置２００が回動する。【選択図】　図２
2004012773.tif 000002
【特許請求の範囲】
【請求項１】
液晶テレビ等の表示装置を壁に取り付けるための表示装置の壁掛け装置であって、
表示装置が取り付けられる表示装置固定部材と、
壁面等に取り付けられる壁面固定部材と、
前記表示装置固定部材に互いの軸向きが平行になるように離間して設けられた一対の軸部と、
前記壁面固定部材に該一対の軸部それぞれに対応して設けられ、当該対応する軸部を着脱可能かつ回転可能に保持する軸受部と
を備えることを特徴とする表示装置の壁掛け装置。
【請求項２】
前記各軸受部は、
前記対応する軸部が摺接する溝部と、
前記対応する軸部の該溝部からの離脱を許容・阻止するために、揺動自在に支持された押さえ部材と、
前記対応する軸部の前記溝部からの離脱を阻止するように、該押さえ部材を付勢する付勢部材と
を備えることを特徴とする請求項１記載の表示装置の壁掛け装置。
【請求項３】
前記各軸部の周面には、周方向に沿って複数の歯又は溝を設け、前記各軸受部には、該軸部の周面に設けられた歯又は溝と係合可能な突起部が設けられていることを特徴とする請求項１又は２記載の表示装置の壁掛け装置。
【発明の詳細な説明】
【０００１】
【発明の属する技術分野】
本発明は、液晶テレビ等の薄型表示装置を壁面等に据え付けるための、表示装置の壁掛け装置に関する。
【０００２】
【従来の技術】
最近は、液晶表示装置やＰＤＰ（プラズマディスプレイ）等といった薄型表示装置が開発され、それら薄型表示装置の壁掛け装置が各種提案されている。
従来の表示装置の壁掛け装置について、その具体例を図面とともに説明する。
【０００３】
図１２，図１３は、従来の表示装置の壁掛け装置の構成図である。
図１２に示した従来の壁掛け装置１１０は、パネル状の本体１１１に、鉤手状のフック１１２を突設し、この本体１１１を壁面等に固定した上で、表示装置２００の本体背面に形成されている取付孔２０１を、このフック１１２に外嵌して、表示装置２００を壁面等に掛止する構成になっている。
【０００４】
また、図１３に示した従来の壁掛け装置１２０は、上記図１２に示した壁掛け装置１１０のパネル状の本体１１１を、壁面等に固定されるパネル部材１１１ａと、フック１１２が突設されたパネル部材１１１ｂとに分割し、両パネル部材１１１ａ，１１１ｂをヒンジ機構１２１で接合することによって、表示装置２００の壁面等に対する取付角度を上下方向に調整できる構成になっている。
また、これら従来技術とは別に、特開平１１−２０２７７８号公報や、登録実用新案第３０６６６００号公報記載の表示装置の壁掛け装置がある。
【０００５】
特開平１１−２０２７７８号公報記載の壁掛け装置は、平面表示装置の両側面後方に凹部を設け、同凹部側面に支軸と、取付用ネジ孔をそれぞれ設ける一方、前記両凹部側面に対応して配置される係止板に、前記支軸を挿着して支持する逆Ｌ字状の溝と、前記支軸を中心として描かれる円弧上に配置し、前記取付用ネジ孔に対応する複数の角度位置決め用取付孔とを設け、同係止板と直交する壁取付板に複数の壁取付孔を設けた左右対象略Ｌ字状の両壁掛金具を設けて構成されている。
【０００６】
そして、左右両壁掛金具を壁取付孔よりネジで壁に固定し、同左右両壁掛金具の逆Ｌ字状の溝に前記支軸を挿着してチルト角を決めた後、角度位置決め用取付孔より取付用ネジ孔にネジを螺着して固定するようにしたことで、チルト角調整機構を設けて天井からの照明が視界に入らないようにできるものである。
【０００７】
又、登録実用新案第３０６６６００号公報記載の壁掛け装置は、２本の棒を連結部材で結合させて折り畳むことができる組み合わせを、表示パネル裏側のおおよそ左右対称な位置に配置し、左右の棒の折り畳み方により、表示パネルの向きを左右方向で変えることができるものである。
【０００８】
【発明が解決しようとする課題】
しかし、これら従来技術の表示装置の壁掛け装置では、次のような問題があった。
まず、壁面に向かって正面方向にしか表示装置を向けることができない壁掛け装置では、液晶テレビ等の表示装置を正面以外の斜め方向から鑑賞しようとした場合、非常に見にくいものとなっていた。
【０００９】
また、液晶テレビ等の表示装置の多くは、背面、又は側面に外部接続端子が設けられており、ＶＴＲやＤＶＤ等の機器を接続するには、表示装置を壁掛け金具に取り付けたままでは、外部接続端子に接続ケーブルを接続しにくかった。
【００１０】
さらに、表示装置の画像表示面の向きを左右方向で変えることができる従来技術の壁掛け装置は、向きの調整構造がリンク機構等を利用した複雑な構成になっており、しかも、大きく向きを変えられない、任意の位置に表示装置を固定できない等、操作性の悪いものとなっていた。
【００１１】
本発明は、上記問題点に鑑み、液晶テレビ等の表示装置を、簡単な構造で、容易に壁面等に据え付けることができ、使用者の見易い向きに表示装置を簡単に設定できる、表示装置の壁掛け装置を提供することを目的とする。
【００１２】
【課題を解決するための手段】
本発明の表示装置の壁掛け装置は、液晶テレビ等の表示装置を壁に取り付けるための表示装置の壁掛け装置であって、表示装置が取り付けられる表示装置固定部材と、壁面等に取り付けられる壁面固定部材と、前記表示装置固定部材に互いの軸向きが平行になるように離間して設けられた一対の軸部と、前記壁面固定部材に該一対の軸部それぞれに対応して設けられ、当該対応する軸部を着脱可能かつ回転可能に保持する軸受部とを備えることを特徴とする。
【００１３】
また、本発明の表示装置の壁掛け装置にあっては、前記各軸受部は、前記対応する軸部が摺接する溝部と、前記対応する軸部の該溝部からの離脱を許容・阻止するために、揺動自在に支持された押さえ部材と、前記対応する軸部の前記溝部からの離脱を阻止するように、該押さえ部材を付勢する付勢部材とを備えることを特徴とする。
【００１４】
また、本発明の表示装置の壁掛け装置にあっては、前記各軸部の周面には、周方向に沿って複数の歯又は溝を設け、前記各軸受部には、該軸部の周面に設けられた歯又は溝と係合可能な突起部が設けられていることを特徴とする。
【００１５】
【発明の実施の形態】
以下、本発明の表示装置の壁掛け装置における実施形態について、図１〜図１１に基づいて説明する。
【００１６】
図１は、本発明の第一の実施の形態による表示装置の壁掛け装置に関し、表示装置が取り付けられた状態の外観図である。
【００１７】
図２は、図１に示した表示装置の壁掛け装置に係り、表示装置を取り外した状態の外観図である。
【００１８】
以下に、その具体的な構成について説明する。
本実施の形態による表示装置の壁掛け装置１は、表示装置２００が一体的に固定されて取り付けられる表示装置固定部材１０と、壁面等に取り付けられて固定される壁面固定部材２０とを備えて構成される。
【００１９】
表示装置固定部材１０は、矩形状の平板部１１と、この矩形状平板部１１の４隅部分それぞれから平板部外方に延びる腕部１２と、平板部一方側の一対の腕部１２Ｒ，１２Ｒ同士、平板部他方側の一対の腕部１２Ｌ，１２Ｌ同士を連結する軸部１３，１３（１３Ｒ，１３Ｌ）とを備える。
【００２０】
そして、本実施の形態では、平板部１１に固定された各腕部１２の先端側の軸連結部位１２ａは、基端側の平板部１１との接合部位１２ｂに対し、平板部１１の裏面側（壁面固定部材２０側）にずれて位置するように、各腕部１２は屈曲して延びている。
【００２１】
これにより、表示装置固定部材１０の平板部１１、一対の腕部１２Ｒ，１２Ｒ（１２Ｌ，１２Ｌ）、及び軸部１３Ｒ（１３Ｌ）によって形成される開口ＳＲ（ＳＬ）は、平板部１１の板面と交差するように開口し、かつ、表示装置固定部材１０の平板部１１と、壁面固定部材２０の後述する平板部２１との間に、空間ＳＢ（後述の図４参照）を形成する。
【００２２】
表示装置固定部材１０において、それぞれ軸部１３Ｒ，１３Ｌは、一対の腕部１２Ｒ，１２Ｒ及び１２Ｌ，１２Ｌによって、互いの軸向きが平行になるように離間して配置されている。
【００２３】
また、本実施の形態の場合は、各腕部１２の軸連結部位１２ａは、軸部１３に対して大径になっており、その軸部１３側の面が支持面１４を形成する構成になっている。
【００２４】
このように構成された表示装置固定部材１０の平板部１１には、取付孔１５が形成されている。この取付孔１５には、例えば、表示装置２００の筐体背面に植設されたボルト等の係止部材（図示省略）が挿嵌され、ナット等の抜け止め部材を装着することにより、表示装置２００を、表示装置固定部材１０に一体的に保持できる構成になっている。
これに対し、壁面固定部材２０は、矩形状の平板部２１と、その両端側部分に一体的に設けられた軸受部材２２とを備えて構成される。
【００２５】
図３は、図２に示した壁面固定部材の軸受部材の拡大図である。
次に、この図３を参考にして、壁面固定部材２０の軸受部材２２の構成について、図１，図２に基づき説明する。
【００２６】
各軸受部材２２（２２Ｒ，２２Ｌ）は、図１に示すように、その長さＬ２が表示装置固定部材１０の軸部１３の係合長Ｌ１よりも短く形成されている。各軸受部材２２（２２Ｒ，２２Ｌ）には、表示装置固定部材１０の軸部１３の一部又は全部を収容可能な溝幅及び溝深さを有する係合溝２３が、その長さ方向全長に亘って延設されている。
【００２７】
そして、図３に示すように、係合溝２３のそれぞれ溝縁部を形成する軸受部材２２の肩部２４，２５の一方２４には、その長さ方向中間位置に、係止爪部材２７が装着される取付凹部２６が形成されている。本実施の形態では、この取付凹部２６によって、当該肩部２４は、その長さ方向に、上，下肩部２４ｕ，２４ｄに分割される構成になっている。
【００２８】
取付凹部２６には、凹状切欠部２８を有する屈曲した係止爪部材２７が、軸受部材２２に対し、ピン２９によって、この凹状切欠部２８が形成された側を基端２７ｂとして、揺動可能に支持されている。
【００２９】
そして、係止爪部材２７の凹状切欠部２８は、コイル状の付勢スプリング３０が、その一端側を係止爪部材２７によって支持され、他端側を軸受部材２２によって支持されて、拡径，縮径可能に設けられている。
【００３０】
これにより、係止爪部材２７の先端側の揺動端２７ａは、常時は付勢スプリング３０の拡径による付勢力によって、平板部２１の内方側に傾倒された状態になっている。係止爪部材２７は、その揺動端２７ａと、軸受部材２２の他方の肩部２５との間の距離ｗを、係合溝２３の溝幅Ｗ，又は表示装置固定部材１０の軸部１３の径ｒよりも小さくしている。
【００３１】
さらに、係止爪部材２７は、この状態で、その揺動端２７ａの端面２７ａａが、その内周面側に対し外周面側が平板部２１の外方寄りに位置する形状になっている。これにより、この端面２７ａａを平板部２１の正面側から平板部２１とほぼ垂直な向きに押圧した場合は、係止爪部材２７は、ピン２９を支軸として、付勢スプリング３０を縮径しながら、その付勢力に抗して揺動する。この結果、係止爪部材２７は、平板部２１の外方側に傾倒し、前述の距離ｗを拡幅する。
【００３２】
このように構成された壁面固定部材２０の平板部２１には、取付孔３１が形成されている。この取付孔３１には、例えば、もくねじ等の係止部材を挿通させて、壁面固定部材２０を壁等に固定可能になっている。
【００３３】
なお、本実施の形態の表示装置の壁掛け装置１において、前述した表示装置固定部材１０に対する表示装置２００の固定方法、並びに上記壁面固定部材２０の壁等に対する固定方法は、上記説明した構成に限るものではない。
【００３４】
また、本実施の形態の表示装置の壁掛け装置１において、表示装置固定部材１０の表示装置２００が取り付けられる平板部１１、及び壁面固定部材２０の壁面に取り付けられる平板部２１は、板状構造でなくとも、フレーム構造等であってもよい。
【００３５】
次に、以上のように構成された本実施の形態の表示装置の壁掛け装置１の作用について、図４〜図６により説明する。
【００３６】
図４は、表示装置の表示面を壁面の正面方向に向けた状態の壁掛け装置の平面図である。
図４に示した表示装置２００の表示面を壁面の正面方向に向けた状態では、表示装置固定部材１０の軸部１３Ｒ，１３Ｌとも、壁面固定部材２０の対応する軸受部材２２Ｒ，２２Ｌに対して係合している。そして、係止爪部材２７Ｒ，２７Ｌが、付勢スプリング３０Ｒ，３０Ｌの付勢力によって、それぞれ対応する軸部１３Ｒ，１３Ｌを、軸受部材２２Ｒ，２２Ｌの溝２３Ｒ，２３Ｌ（図３参照）に納まった状態で、かつ溝２３Ｒ，２３Ｌから離脱せぬように押さえつけている。
【００３７】
そして、この状態では、表示装置２００の背面と、壁面固定部材２０の表面との間には、本実施の形態では、空間ＳＢが形成されるようになっている。また、表示装置２００の側面も、外部に露出された状態になっている。
【００３８】
また、この際における、表示装置２００の重量は、軸部１３Ｒ，１３Ｌの支持面１４（図２参照）と、軸受部材２２Ｒ，２２Ｌの端面との当接によって、軸受部材２２Ｒ，２２Ｌが軸部１３Ｒ，１３Ｌの軸線方向に支持している。
【００３９】
次に、図４中で、使用者が正面方向に対して左側から表示装置２００を眺める場合を例に、表示装置２００の表示面の調整操作について、図５及び図６により説明する。
【００４０】
図５は、表示装置固定部材の回動により、手前に引いた軸部側の係止爪部材が壁面固定部材の外方側に揺動した状態の、壁掛け装置の平面図である。
【００４１】
図６は、表示装置固定部材の回動により、手前に引いた軸部と、対応する側の係止爪部材との係合が解除された状態の壁掛け装置の平面図である。
この場合、使用者は、まず、表示装置固定部材１０、又は表示装置２００の向かって右側に手を掛けて手前に引き、軸部１３Ｒを引き寄せる。
【００４２】
これによって、図５に示すように、表示装置固定部材１０は、その反対側の軸部１３Ｌが、壁面固定部材２０の軸受部材２２Ｌの溝２３Ｌ内を、係止爪部材２７Ｌによって押さえつけられながら回転し、この軸部１３Ｌを回転軸として、図５中、時計回りに回動する。
【００４３】
その際、付勢スプリング３０Ｒの付勢力によって壁面固定部材２０の内方側に傾倒して軸部１３Ｒを押さえつけて拘束している係止爪部材２７Ｒが、その付勢力に抗して、壁面固定部材２０の外方側に揺動し押し広げられる。これにより、前述の図３に示した距離ｗは、拡幅させられる。
【００４４】
そして、使用者がさらに軸部１３Ｒを手前に引くと、軸部１３Ｒは、溝２３Ｒ及び係止爪部材２７Ｒから完全に離脱し、図６に示すようになる。これにより、表示装置固定部材１０は、壁面固定部材２０の軸受部材２２Ｌの溝２３Ｌ内に依然として係合している軸部１３Ｌを支軸として、回動自由になる。
【００４５】
このときには、軸部１３Ｌは、軸受部材２２Ｌの付勢スプリング３０Ｒの付勢力を受けた係止爪部材２７Ｌによって、その溝２３Ｌ内に押さえつけられ、溝２３Ｌから外れること無く、表示装置固定部材１０の壁面固定部材２０に対する位置、角度が保持される。
これにより、表示装置２００の表示面を、壁掛け装置１の正面方向に対して、任意の角度に向けることができる。
【００４６】
この際も、表示装置２００の重量は、軸部１３Ｌの支持面１４（図２参照）と、軸受部材２２Ｌの端面との当接によって、軸受部材２２Ｌの軸部１３Ｌの軸線方向に支持されるので、軸受部材２２Ｌの付勢スプリング３０Ｒの付勢力を、強力なものにしなくて済む。
【００４７】
逆に、この状態から表示装置２００の表示面を正面向きに戻す場合は、上記とは逆向きに表示装置２００を回動して、その軸部１３Ｒを前述した係止爪部材２７Ｒの端面２７ａａ（図３参照）に当接させた後、表示装置固定部材１０又は表示装置２００の向かって右側に手を掛けて、これを壁面固定部材２０側に向けて押し付ける。これにより、係止爪部材２７Ｒは、ピン２９を支軸として、付勢スプリング３０Ｒの付勢力に抗して揺動し、図３に示した、その揺動端２７ａと軸受部材２２Ｒの肩部２５との間の距離ｗを拡幅し、上述したと逆の手順を追って、壁面固定部材２０の軸受部材２２Ｒの溝２３Ｒに係合される。
【００４８】
なお、表示装置固定部材１０の逆側の軸部１３Ｌを、壁面固定部材２０の軸受部材２２Ｌの溝２３Ｌに対して離脱、係合させる場合は、上述したと同様な左右逆の動作によって行われるので、その説明は省略する。
【００４９】
図７は、本実施の形態の壁掛け装置の具体的使用例を示す説明図である。
このように、本実施の形態の壁掛け装置１によれば、表示装置２００を部屋の隅に設置しても、表示装置を使用者の見やすい位置に簡単に設定できるため、表示装置を設置する場所を選ばずに設置することが可能となる。
【００５０】
図８は、表示面に向かって右側に外部接続端子がある表示装置を例に、他の機器の接続ケーブルを接続する場合の説明図である。
【００５１】
本実施の形態の壁掛け装置１によれば、表示装置２００の外部接続端子２０１が設けられている側の表示装置固定部材１０の軸部１３Ｒを、壁面固定部材２０の軸受部材２２Ｒの溝２３Ｒから外して回動させ、開くことで、表示装置２００及び壁掛け装置１を壁から取り外すことなく、外部接続端子２０１と壁面との距離を大きく取ることができる。これにより、外部接続端子２０１に接続する接続ケーブル３００の抜き差しが、表示装置２００の壁掛け設置後であっても、容易となる。
【００５２】
また、本実施の形態の壁掛け装置１によれば、表示装置固定部材１０の平板部１１、一対の腕部１２Ｒ，１２Ｒ（１２Ｌ，１２Ｌ）、及び軸部１３Ｒ（１３Ｌ）によって開口ＳＲ（ＳＬ）が形成され、表示装置固定部材１０の平板部１１と、壁面固定部材２０の後述する平板部２１との間に空間ＳＢ（後述の図４参照）が形成されている。
【００５３】
これら空間ＳＲ，ＳＬ，ＳＢにより、表示装置２００の外部接続端子２０１に対して、他の機器が逆側に配置されていたとしても、接続ケーブル３００を空間ＳＢ，ＳＢを通して、表示装置２００の側面の任意の方向からも引き出せるので、接続ケーブル３００の長さが短縮できるとともに美観も向上する。
さらに、壁面固定部材２０の後述する平板部２１との間に空間ＳＢは、表示装置２００の発熱を壁面に対し緩衝するので、壁面の熱による変色も防ぐことができる。
【００５４】
図９は、本発明の第二の実施の形態に係る表示装置の壁掛け装置の外観図である。
【００５５】
図１０は、図９に示した壁掛け装置の、表示装置固定部材の回動により、手前に引いた軸部側の係止爪部材が壁面固定部材の外方側に揺動した状態の壁掛け装置の平面図である。
【００５６】
図１１は、図９に示した壁掛け装置の要部の拡大図である。
【００５７】
なお、第２の実施の形態に係る表示装置の壁掛け装置１’の説明に当たり、第１の実施の形態に係る表示装置の壁掛け装置１と同様な構成部分については、同一符号を付し、その説明は省略する。
【００５８】
本実施の形態の壁掛け装置１’では、表示装置固定部材１０の軸部１３の外周面に、軸方向に平行な複数の溝１６が設けられ、係止爪部材２７の内側面には、この溝１６に噛合する突起３２を設けられている。
【００５９】
これにより、表示装置固定部材１０、又は表示装置２００の左右何れか一方側に手を掛けて手前に引き、表示装置２００を及び表示装置固定部材１０を回動させる場合、軸部１３の外周面の溝１６と、係止爪部材２７の突起３２と噛み合いながら回動するので、使用者にその操作量に応じたクリック感を持たせることができる。
【００６０】
また、表示装置２００を及び表示装置固定部材１０を一定の角度で、さらにしっかりと保持することが可能になる。
【００６１】
本発明の表示装置の壁掛け装置は、以上説明したように構成されるが、その実施の形態１，１’の各部の具体的形状等は、図面に示したものに限定されるわけではなく、種々の変形が可能である。
【００６２】
例えば、壁面固定部材に設けられ、当該対応する軸部を着脱可能かつ回転可能に保持する軸受部の軸受構造も、上記実施の形態のすべり軸受に限定されず、他の軸受構造としてもよい。
【００６３】
【発明の効果】
以上のように、本発明の表示装置の壁掛け装置によれば、次のような効果を奏する。
表示装置固定部材、又は表示装置の左右何れか一方側に手を掛けて手前に引いて、表示装置を左右任意の側に開閉可能にすることによって、表示装置の画像表示面を使用者の見やすい向きに簡単に設定できる。そのため、表示装置を、例えば、部屋の隅等、設置場所を選ばずに設置することが可能になる。
【００６４】
さらに、液晶テレビ等の表示装置の多くは、背面、あるいは側面に外部接続端子が設けられており、表示装置２００を左右任意の側に開閉可能にすれば、ＶＴＲやＤＶＤ等の機器の接続が容易になる。
【００６５】
また、表示装置固定部材及び表示装置の、壁面固定部材に対する回動構成は、複雑な機構を有する必要もなく、表示装置を使用者の見やすい向きに簡単に設定する事が可能となる。さらに、１８０度以上の大きな角度で左右の向きを変えることも可能になる。
【００６６】
さらに、表示装置固定部材を壁面固定部材に対して回動させるときにも、軸部の周方向に沿って設けた複数の歯又は溝が、軸受部に設けた突起部と噛み合いながら回動するので、使用者にその操作量に応じたクリック感を持たせることができ、段階的に開閉させることができ、任意の位置で表示装置をより安定させて固定することができ、例えば、振動等によって表示装置が動き易いところで使用する場合等に好適である。
【図面の簡単な説明】
【図１】本発明の一実施の形態による表示装置の壁掛け装置に関し、表示装置が取り付けられた状態の外観図である。
【図２】図１に示した表示装置の壁掛け装置に係り、表示装置を取り外した状態の外観図である。
【図３】図２に示した壁面固定部材の軸受部材の拡大図である。
【図４】表示装置の表示面を壁面の正面方向に向けた状態の壁掛け装置の平面図である。
【図５】表示装置固定部材の回動により、手前に引いた軸部側の係止爪部材が壁面固定部材の外方側に揺動した状態の壁掛け装置の平面図である。
【図６】表示装置固定部材の回動により、手前に引いた軸部と、対応する側の係止爪部材との係合が解除された状態の壁掛け装置の平面図である。
【図７】本実施の形態の壁掛け装置の具体的使用例を示す説明図である。
【図８】表示面に向かって右側に外部接続端子がある表示装置を例に、他の機器の接続ケーブルを接続する場合の説明図である。
【図９】本発明の第二の実施の形態に係る表示装置の壁掛け装置の外観図である。
【図１０】図９に示した壁掛け装置の、表示装置固定部材の回動により、手前に引いた軸部側の係止爪部材が壁面固定部材の外方側に揺動した状態の壁掛け装置の平面図である。
【図１１】図９に示した壁掛け装置の要部の拡大図である。
【図１２】従来の表示装置の壁掛け装置の構成図である。
【図１３】従来の表示装置の壁掛け装置の構成図である。
【符号の説明】
１　壁掛け装置
１０　表示装置固定部材
１１　平板部
１２　腕部
１３　軸部
１６　溝部
２０　壁面固定部材
２１　平板部
２２　軸受部材
２３　係合溝
２６　取付凹部
２７　係止爪部材
２８　凹状切欠部
２９　ピン
３０　付勢スプリング
３２　突起
【図１】
2004012773.tif 000003
【図２】
2004012773.tif 000004
【図３】
2004012773.tif 000005
【図４】
2004012773.tif 000006
【図５】
2004012773.tif 000007
【図６】
2004012773.tif 000008
【図７】
2004012773.tif 000009
【図８】
2004012773.tif 000010
【図９】
2004012773.tif 000011
【図１０】
2004012773.tif 000012
【図１１】
2004012773.tif 000013
【図１２】
2004012773.tif 000014
【図１３】
2004012773.tif 000015